(57)【要約】【課題】カメラ機能及びマイク機能を備えた携帯電話装置において、カメラの可動機構を設けることなく、複数の方向における画像を撮影し、かつ、音声を集音することを可能にする携帯電話装置を提供する。【解決手段】携帯電話装置１０の正面側に第一のカメラ１８及び第一のマイク１５を配置し、背面側には第二のカメラ１９及び第二のマイク２０を配置する。【選択図】    図１
2004166159.tif 000002
【特許請求の範囲】
【請求項１】
画像を撮影するカメラと、集音用のマイクとを備える携帯電話装置において、
第一の組乃至第Ｎ（Ｎは２以上の整数）の組のカメラ及びマイクを備えており、
第Ｍ（Ｍは１以上、Ｎ以下の整数）の組のカメラは第Ｍの方向の画像を撮影し、第Ｍの組のマイクは第Ｍの方向の音声を集音することを特徴とする携帯電話装置。
【請求項２】
Ｎ＝２であり、
第一の組のカメラは、使用者に対向する正面側において、正面方向の画像を撮影し、第一の組のマイクは正面方向の音声を集音するものであり、
第二の組のカメラは、使用者とは対向しない背面側において、背面方向の画像を撮影し、第二の組のマイクは背面方向の音声を集音することを特徴とする請求項１に記載の携帯電話装置。
【請求項３】
前記第一の組乃至第Ｎの組のカメラの何れか一つをオンにするための切り換えスイッチと、
前記第一の組乃至第Ｎの組のカメラにそれぞれ対応して設けられている第一乃至第Ｎのデジタル信号処理装置と、
を備え、
前記切り換えスイッチにより、前記第Ｍ（Ｍは１以上、Ｎ以下の整数）の組のカメラがオンになっている場合には、前記第Ｍの組のカメラで撮影された画像は、前記第Ｍの組に対応する前記第Ｍのデジタル信号処理装置において処理されることを特徴とする請求項１または２に記載の携帯電話装置。
【請求項４】
前記切り換えスイッチにより、前記第一の組乃至第Ｎの組のカメラがオンになっている場合には、前記第一の組乃至第Ｎの組のマイクが自動的にオンになることを特徴とする請求項３に記載の携帯電話装置。
【請求項５】
前記第一の組乃至第Ｎの組のカメラの何れか一つをオンにするための第一の切り換えスイッチと、
前記第一の組乃至第Ｎの組のマイクの何れか一つをオンにするための第二の切り換えスイッチと、
をさらに備えることを特徴とする請求項１または２に記載の携帯電話装置。
【請求項６】
前記第一の組乃至第Ｎの組のカメラの何れか一つをオンにするための切り換えスイッチと、
デジタル信号処理装置と、
を備え、
前記切り換えスイッチにより、前記第Ｍ（Ｍは１以上、Ｎ以下の整数）の組のカメラがオンになっている場合には、前記第Ｍの組のカメラで撮影された画像が前記デジタル信号処理装置において処理されることを特徴とする請求項１または２に記載の携帯電話装置。
【請求項７】
前記第一乃至第Ｎのデジタル信号処理装置または前記デジタル信号処理装置は、前記第一の組乃至第Ｎの組のカメラが撮影した画像を左右反転させる処理を行うものであることを特徴とする請求項３または６に記載の携帯電話装置。
【請求項８】
前記第一の組乃至第Ｎの組のカメラの少なくとも何れか一つは着脱自在式であることを特徴とする請求項１乃至７の何れか一項に記載の携帯電話装置。
【請求項９】
前記第一の組乃至第Ｎの組のマイクの少なくとも何れか一つは着脱自在式であることを特徴とする請求項１乃至８の何れか一項に記載の携帯電話装置。
【請求項１０】
前記携帯電話装置は、第一の筐体と、前記第一の筐体に対して回転可能に前記第一の筐体に結合された第二の筐体と、からなる折り畳み式の携帯電話装置であり、
Ｎ＝２であり、
前記第一の組のカメラ及びマイクは、前記第一及び第二の筐体を相互に折り畳んだときに内側になる前記第一の筐体の表面に配置されており、
前記第二の組のカメラ及びマイクは、前記第一及び第二の筐体を相互に折り畳んだときに外側になる前記第一の筐体の表面に配置されていることを特徴とする請求項１乃至９の何れか一項に記載の携帯電話装置。
【発明の詳細な説明】
【０００１】
【発明の属する技術分野】
本発明は携帯電話装置に関し、特に、カメラ機能を備えた携帯電話装置に関する。
【０００２】
【従来の技術】
近年では、カメラを実装した携帯電話装置が数多く提案されている。このような携帯電話装置においては、実装されたカメラにより、動画や静止画が撮影され、撮影された画像はＴＶ電話機能や画像のメール添付機能などを利用して相手方に送信される。
【０００３】
また、カメラとともに、送話用のマイクとは別個のマイクを搭載した携帯電話装置も提案されている。このような携帯電話装置においては、携帯電話装置の周辺の音声を集音し、カメラにより撮影した画像とともに、集音した音声が相手方に送信される。
【０００４】
通常、このような携帯電話装置におけるカメラ及びマイクは１系統（１組）しか実装されていなかった（例えば、特許文献１参照）。
【０００５】
【特許文献１】
特開２００１−１６９１６６号公報（図９−１１）
【０００６】
【発明が解決しようとする課題】
カメラについては、被写体がユーザー自身である場合は、携帯電話装置の内側（表示部側）に設置することにより、ユーザーが撮影画像を表示部で確認しながら撮影することが可能である。
【０００７】
しかしながら、被写体がユーザー自身ではない場合は、カメラの向きを自由に変えるための可動機構が必要となるが、このような可動機構は携帯電話装置の構造を複雑にする。携帯電話装置の複雑な構造は、携帯電話装置の製造工程数を増加させる原因となるとともに、動作上の信頼性の低下を招く原因にもなり得る。
【０００８】
また、この問題はマイクについても同様に当てはまる。１系統のマイクしか有していない携帯電話装置では、一つの方向（例えば、携帯電話装置からユーザーに向かう方向）における音声しか集音できないため、他の方向における音声を効果的に集音することは必ずしも可能ではなかった。
【０００９】
本発明は、このような問題点に鑑みてなされたものであり、カメラ機能及びマイク機能を備えた携帯電話装置において、カメラの可動機構を設けることなく、複数の方向における画像を撮影し、かつ、音声を集音することを可能にする携帯電話装置を提供することを目的とする。
【００１０】
【課題を解決するための手段】
この目的を達成するため、本発明は、画像を撮影するカメラと、集音用のマイクとを備える携帯電話装置において、第一の組乃至第Ｎ（Ｎは２以上の整数）の組のカメラ及びマイクを備えており、第Ｍ（Ｍは１以上、Ｎ以下の整数）の組のカメラは第Ｍの方向の画像を撮影し、第Ｍの組のマイクは第Ｍの方向の音声を集音することを特徴とする携帯電話装置を提供する。
【００１１】
例えば、Ｎ＝２と設定する場合には、第一の組のカメラは、使用者に対向する正面側において、正面方向の画像を撮影し、第一の組のマイクは正面方向の音声を集音するものとして、第二の組のカメラは、使用者とは対向しない背面側において、背面方向の画像を撮影し、第二の組のマイクは背面方向の音声を集音するものとして構成される。
【００１２】
本携帯電話装置は、第一の組乃至第Ｎの組のカメラの何れか一つをオンにするための切り換えスイッチと、第一の組乃至第Ｎの組のカメラにそれぞれ対応して設けられている第一乃至第Ｎのデジタル信号処理装置と、を備え、切り換えスイッチにより、第Ｍ（Ｍは１以上、Ｎ以下の整数）の組のカメラがオンになっている場合には、第Ｍの組のカメラで撮影された画像は、第Ｍの組に対応する第Ｍのデジタル信号処理装置において処理されるように構成することができる。
【００１３】
この場合、切り換えスイッチにより、第一の組乃至第Ｎの組のカメラがオンになっている場合には、第一の組乃至第Ｎの組のマイクが自動的にオンになるように構成することができる。
【００１４】
あるいは、本携帯電話装置は、第一の組乃至第Ｎの組のカメラの何れか一つをオンにするための第一の切り換えスイッチと、第一の組乃至第Ｎの組のマイクの何れか一つをオンにするための第二の切り換えスイッチと、をさらに備えるも野として構成することができる。
【００１５】
本携帯電話装置は、第一の組乃至第Ｎの組のカメラの何れか一つをオンにするための切り換えスイッチと、デジタル信号処理装置と、を備え、切り換えスイッチにより、第Ｍ（Ｍは１以上、Ｎ以下の整数）の組のカメラがオンになっている場合には、第Ｍの組のカメラで撮影された画像がデジタル信号処理装置において処理されるように構成することができる。
【００１６】
例えば、第一乃至第Ｎのデジタル信号処理装置またはデジタル信号処理装置は、第一の組乃至第Ｎの組のカメラが撮影した画像を左右反転させる処理を行うものとして構成することができる。
【００１７】
第一の組乃至第Ｎの組のカメラの少なくとも何れか一つは着脱自在式であるように構成することができる。
【００１８】
同様に、第一の組乃至第Ｎの組のマイクの少なくとも何れか一つは着脱自在式であるように構成することができる。
【００１９】
携帯電話装置は、第一の筐体と、第一の筐体に対して回転可能に第一の筐体に結合された第二の筐体と、からなる折り畳み式の携帯電話装置として構成することができる。この場合、Ｎ＝２に設定し、第一の組のカメラ及びマイクは、第一及び第二の筐体を相互に折り畳んだときに内側になる第一の筐体の表面に配置されており、第二の組のカメラ及びマイクは、第一及び第二の筐体を相互に折り畳んだときに外側になる第一の筐体の表面に配置されているように構成することができる。
【００２０】
【発明の実施の形態】
（第一の実施形態）
図１は本発明の第一の実施形態に係る携帯電話装置１０の斜視図である。図１（ａ）は、開いた状態における携帯電話装置１０を正面から見たときの斜視図であり、図１（ｂ）は、開いた状態における携帯電話装置１０を背面から見たときの斜視図である。
【００２１】
本実施形態に係る携帯電話装置１０はいわゆる折り畳み式の携帯電話装置であり、第一の筐体１１と、第二の筐体１２とから構成されている。第一の筐体１１と第二の筐体１２とはそれらの一端においてヒンジ機構１３を介して相互に接続されており、第一の筐体１１と第二の筐体１２とはヒンジ機構１３を中心として相互に回転可能に形成されている。
【００２２】
すなわち、第一の筐体１１と第二の筐体１２とは、図１（ａ）及び（ｂ）に示すように相互に開いた状態と、相互に閉じた状態とをとることができる。
【００２３】
第一の筐体１１及び第二の筐体１２を相互に折り畳んだときに内側になる第二の筐体の表面１２１には、通信操作または画像の撮影を行うために必要な複数個のキー１４と、第一のマイク１５とが配置されている。
【００２４】
また、図１（ａ）に示すように、第一の筐体１１及び第二の筐体１２を相互に折り畳んだときに内側になる第一の筐体１１の表面１１１のほぼ中央には画像表示画面としての液晶表示ディスプレイ１６が配置されている。この液晶表示ディスプレイ１６には、携帯電話装置１０の通信操作時には、発着呼の電話番号や電子メールの内容が表示され、あるいは、画像の撮影時には、撮影された画像が表示される。
【００２５】
第一の筐体１１の表面１１１には、さらに、音声通話の際に相手方の音声を出力するレシーバ１７と、第一のカメラ１８とが配置されている。
【００２６】
第一のカメラ１８は携帯電話装置１０に内蔵されており、第一の筐体１１の表面１１１には、第一のカメラ１８のレンズが液晶表示ディスプレイ１６の上方に露出している。
【００２７】
さらに、図１（ｂ）に示すように、第一の筐体１１及び第二の筐体１２を相互に折り畳んだときに外側になる第一の筐体１１の表面１１２には、第二のカメラ１９と、第二のマイク２０とが配置されている。
【００２８】
第二のカメラ１９は、第一のカメラ１８と同様に、携帯電話装置１０に内蔵されており、第一の筐体１１の表面１１２には、第二のカメラ１９のレンズが露出している。
【００２９】
第一のカメラ１８は、正面方向（携帯電話装置１０からユーザーに向かう方向）における動画や静止画を撮影するために使用され、第一のマイク１５は、正面方向における音声、特に、ユーザー自身の音声を集音するために使用される。
【００３０】
また、第二のカメラ１９は、背面方向（ユーザーから見て携帯電話装置１０の背後の方向）における動画や静止画を撮影するために使用され、第二のマイク２０は、背面方向における音声を集音するために使用される。
【００３１】
複数個のキー１４の中の一つのキーとしてカメラ切り換え用キーが設けられている。ユーザーはこのカメラ切り換え用キーを操作することにより、第一のカメラ１８及び第二のカメラ１９の何れをオン、すなわち、動作可能状態にするかを選択することができる。
【００３２】
なお、本実施形態に係る携帯電話装置１０においては、第一のマイク１５及び第二のマイク２０が動作可能状態か否かは第一のカメラ１８及び第二のカメラ１９に連動して決定されるようになっている。すなわち、カメラ切り換え用キーにより、ユーザーが、第一のカメラ１８をオンにした場合には、第一のマイク１５が自動的にオンになり、ユーザーが、第二のカメラ１９をオンにした場合には、第二のマイク２０が自動的にオンになるように設定されている。
【００３３】
図２は、携帯電話装置１０の構造を示す機能ブロック図である。
【００３４】
携帯電話装置１０は、前述の構成要素の他に、無線信号を送受信するアンテナ２０６と、音声データまたは通信データを送受信する際に必要な処理を行う無線部２０５と、中央処理装置２０１と、第一のカメラ１８及び第二のカメラ１９が撮影した画像のデータ、ユーザーが第一のカメラ１８及び第二のカメラ１９の何れを選択したかを示すデータその他のデータが格納されるメモリ２０４と、第一のカメラ１８及び第二のカメラ１９に電力を供給するカメラ用電源２０２と、第一のカメラ１８が撮影した画像の処理を行う第一デジタル信号処理装置（ＤＳＰ：Ｄｉｇｉｔａｌ  Ｓｉｇｎａｌ  Ｐｒｏｃｅｓｓｏｒ）２０７と、第二のカメラ１９が撮影した画像の処理を行う第二デジタル信号処理装置２０８と、を備えている。
【００３５】
キー１４、液晶表示ディスプレイ１６、第一のカメラ１８、第二のカメラ１９、第一のマイク１５、第二のマイク２０、無線部２０５、メモリ２０４、第一デジタル信号処理装置２０７及び第二デジタル信号処理装置２０８は何れも中央処理装置２０１に接続されており、中央処理装置２０１により制御される。
【００３６】
ユーザーが、カメラ切り換え用キーにより、第一のカメラ１８を選択した場合には、中央処理装置２０１は、第一のカメラ１８及び第一デジタル信号処理装置２０７に電源制御信号ｃａｍ＿ＰＳ１を出力し、第一のカメラ１８及び第一デジタル信号処理装置２０７をオンとする。
【００３７】
第一のカメラ１８で撮影された画像を示す画像信号は第一デジタル信号処理装置２０７に入力され、第一デジタル信号処理装置２０７において画像処理される。画像処理された画像データｃａｍ＿ｄａｔａ１は中央処理装置２１に送信され、中央処理装置２１は画像データｃａｍ＿ｄａｔａ１をメモリ２０４に格納する。
【００３８】
同様に、ユーザーが、カメラ切り換え用キーにより、第二のカメラ１９を選択した場合には、中央処理装置２０１は、第二のカメラ１９及び第二デジタル信号処理装置２０８に電源制御信号ｃａｍ＿ＰＳ２を出力し、第二のカメラ１９及び第二デジタル信号処理装置２０８をオンとする。
【００３９】
第二のカメラ１９で撮影された画像を示す画像信号は第二デジタル信号処理装置２０８に入力され、第二デジタル信号処理装置２０８において画像処理される。画像処理された画像データｃａｍ＿ｄａｔａ２は中央処理装置２１に送信される。
【００４０】
第一のマイク１５から出力される音声アナログ信号ＭＩＣｉｎ１及び第二のマイク２０から出力される音声アナログ信号ＭＩＣｉｎ２は中央処理装置２１に送信される。
【００４１】
図３は、本実施形態に係る携帯電話装置１０の動作を示すフローチャートである。以下、図３を参照して、本実施形態に係る携帯電話装置１０の動作を説明する。
【００４２】
ユーザーが、カメラ切り換え用キーを介して、第一のカメラ１８及び第二のカメラ１９の何れを使用するかを決定すると、その決定を示すデータはメモリ２０４に記憶される。
【００４３】
先ず、中央処理装置２０１は、メモリ２０４から、第一のカメラ１８の使用が設定されているか否かを読み出す（ステップ３０２）。
【００４４】
第一のカメラ１８の使用が設定されている場合には（ステップ３０２のＹＥＳ）、中央処理装置２０１は、第一のカメラ１８及び第一デジタル信号処理装置２０７の双方に電源制御信号ｃａｍ＿ＰＳ１を送信し、第一のカメラ１８及び第一デジタル信号処理装置２０７を起動させる（ステップ３０３）。
【００４５】
このように、中央処理装置２０１から第一のカメラ１８に電源制御信号ｃａｍ＿ＰＳ１を送信するのは、カメラ用電源２０２は第一のカメラ１８に対して常に電源供給をしているため、第一のカメラ１８を使用しないときには、電源制御信号ｃａｍ＿ＰＳ１をオフとすることにより、省電力化を可能とするためである。
【００４６】
次いで、中央処理装置２０１は、第一のカメラ１８及び第二のカメラ１９のどちらの画像データを有効とするかを決定する（ステップ３０４）。
【００４７】
この場合は、第一のカメラ１８の使用が設定され、ｃａｍ＿ＰＳ１がオンになっているため、第一デジタル信号処理装置２０７から出力されるｃａｍ＿ｄａｔａ１を有効とする。
【００４８】
また、中央処理装置２０１は、音声アナログ信号についても、ＭＩＣｉｎ１、ＭＩＣｉｎ２のどちらを有効にするかを決定する（ステップ３０４）。
【００４９】
この場合は、第一のカメラ１８の使用が設定され、ｃａｍ＿ＰＳ１がオンになっているため、第一のマイク１５から出力される音声アナログ信号ＭＩＣｉｎ１を有効とする。
【００５０】
次いで、中央処理装置２０１は、有効とした画像データｃａｍ＿ｄａｔａ１を液晶表示ディスプレイ１６に表示させる（ステップ３０７）。
【００５１】
このとき、ユーザーは、第一のカメラ１８の撮影状況を液晶表示ディスプレイ１６で確認しながら、画像を撮影することができる。
【００５２】
次いで、中央処理装置２０１は、携帯電話装置１０が現在通話中であるか否かを判定する（ステップ３０８）。
【００５３】
通話中である場合には（ステップ３０８のＹＥＳ）、画像データｃａｍ＿ｄａｔａ１及び音声アナログ信号ＭＩＣｉｎ１をＩ／Ｑ信号に変換し（直交変調方式の場合）、このＩ／Ｑ信号を無線部２０５に出力する（ステップ３０９）。
【００５４】
Ｉ／Ｑ信号は、無線部２０５において変調され、送信波となり、アンテナ２０６からエアーへ送信される。
【００５５】
これにより、通話中の相手方へ、ユーザーの写った画像と音声を送出することができる。
【００５６】
通話中ではない場合には（ステップ３０８のＮＯ）、画像データｃａｍ＿ｄａｔａ１及び音声アナログ信号ＭＩＣｉｎ１は、中央処理装置２０１において保存用のデータフォーマットに変換された後、メモリ２０４に保存される（ステップ３１０）。
【００５７】
これにより、ユーザーは、撮影した動画や静止画を後で所望の時に見ることができる。
【００５８】
第二のカメラ１９の使用が設定されている場合には（ステップ３０２のＮＯ）、中央処理装置２０１は、第二のカメラ１９及び第二デジタル信号処理装置２０８の双方に電源制御信号ｃａｍ＿ＰＳ２を送信し、第二のカメラ１９及び第二デジタル信号処理装置２０８を起動させる（ステップ３０５）。
【００５９】
中央処理装置２０１から第二のカメラ１９に電源制御信号ｃａｍ＿ＰＳ２を送信するのは、電源制御信号ｃａｍ＿ＰＳ１を第一のカメラ１８に送信するのと同じ理由による。
【００６０】
次いで、中央処理装置２０１は、第一のカメラ１８及び第二のカメラ１９のどちらの画像データを有効とするかを決定する（ステップ３０６）。
【００６１】
この場合は、第二のカメラ１９の使用が設定され、ｃａｍ＿ＰＳ２がオンになっているため、第二デジタル信号処理装置２０８から出力されるｃａｍ＿ｄａｔａ２を有効とする。
【００６２】
また、中央処理装置２０１は、音声アナログ信号についても、ＭＩＣｉｎ１、ＭＩＣｉｎ２のどちらを有効にするかを決定する（ステップ３０６）。
【００６３】
この場合は、第二のカメラ１９の使用が設定され、ｃａｍ＿ＰＳ２がオンになっているため、第二のマイク２０から出力される音声アナログ信号ＭＩＣｉｎ２を有効とする。
【００６４】
以下、第一のカメラ１８の使用が設定されている場合と同様に、液晶表示ディスプレイ１６への画像データｃａｍ＿ｄａｔａ２の表示（ステップ３０７）、携帯電話装置１０が通話中か否かに応じて（ステップ３０８）、画像データｃａｍ＿ｄａｔａ２及び音声アナログ信号ＭＩＣｉｎ２の送信（ステップ３０９）またはメモリ２０４への保存（ステップ３１０）が行われる。
【００６５】
以上のように、本実施形態に係る携帯電話装置１０によれば、以下の効果を奏する。
【００６６】
前述のように、従来の携帯電話装置はカメラ及びマイクを各１つずつ有していた。これに対して、本実施形態に係る携帯電話装置１０は、正面側に設置された第一のカメラ１８と第一のマイク１５及び背面側に設置された第二のカメラ１９と第二のマイク２０の２系統を有しており、第一のカメラ１８及び第二のカメラ１９の選択はカメラ切り換え用キーを介して容易に設定することができる。
【００６７】
このため、ＴＶ電話使用時や、動画・静止画撮影時において、煩わしい操作をしなくても、カメラ切り換え用キーを操作するだけで、ユーザー自身の映像及び音声と周囲の映像及び音声との間の切り替えを容易に行うことができる。
【００６８】
また、背面側の撮影時には、常に被写体を液晶表示ディスプレイ１６で確認しながら撮影を行うことが可能である。
【００６９】
液晶表示ディスプレイ１６がユーザーの正面側に位置しており、携帯電話装置１０の正面側と背面側の両面にそれぞれ第一のカメラ１８と第二のカメラ１９を設置しているため、ユーザーは常に携帯電話装置１０を正面側に向けていれば良いからである。
【００７０】
さらに、携帯電話装置１０はその背面側に第二のマイク１９を有しているため、ユーザーの周囲の音声を集音することも可能である。
【００７１】
（第二の実施形態）
前述の第一の実施形態に係る携帯電話装置１０においては、ユーザーは、カメラ切り換え用キーを介して、第一のカメラ１８及び第二のカメラ１９の何れか一方を選択することができ、第一のカメラ１８及び第二のカメラ１９の何れかが選択されると、それに応じて、第一のマイク１５または第二のマイク２０が自動的にオンに設定されていた。
【００７２】
これに対して、第二の実施形態に係る携帯電話装置においては、複数個のキー１４の一つとしてマイク切り換え用キーが設けられており、ユーザーは、カメラ切り換え用キーを介して、第一のカメラ１８及び第二のカメラ１９の何れか一方を選択することができるとともに、マイク切り換え用キーを介して、第一のマイク１５及び第二のマイク２０の何れか一方をオンにすることを選択することができるようになっている。
【００７３】
図４は、本実施形態に係る携帯電話装置の動作を示すフローチャートである。以下、図４を参照して、本実施形態に係る携帯電話装置の動作を説明する。
【００７４】
ユーザーが、カメラ切り換え用キーを介して、第一のカメラ１８及び第二のカメラ１９の何れを使用するかを決定すると、その決定を示すデータはメモリ２０４に記憶される。
【００７５】
同様に、ユーザーが、マイク切り換え用キーを介して、第一のマイク１５及び第二のマイク２０の何れを使用するかを決定すると、その決定を示すデータはメモリ２０４に記憶される。
【００７６】
先ず、中央処理装置２０１は、メモリ２０４から、第一のカメラ１８の使用が設定されているか否かを読み出す（ステップ４０１）。
【００７７】
第一のカメラ１８の使用が設定されている場合には（ステップ４０１のＹＥＳ）、中央処理装置２０１は、第一のカメラ１８及び第一デジタル信号処理装置２０７の双方に電源制御信号ｃａｍ＿ＰＳ１を送信し、第一のカメラ１８及び第一デジタル信号処理装置２０７を起動させる（ステップ３０３）。
【００７８】
次いで、中央処理装置２０１は、第一のカメラ１８及び第二のカメラ１９のどちらの画像データを有効とするかを決定する。
【００７９】
この場合は、第一のカメラ１８の使用が設定され、ｃａｍ＿ＰＳ１がオンになっているため、第一デジタル信号処理装置２０７から出力されるｃａｍ＿ｄａｔａ１を有効とする（ステップ４０２）。
【００８０】
第二のカメラ１９の使用が設定されている場合には（ステップ４０１のＮＯ）、中央処理装置２０１は、第二のカメラ１９及び第二デジタル信号処理装置２０８の双方に電源制御信号ｃａｍ＿ＰＳ２を送信し、第二のカメラ１９及び第二デジタル信号処理装置２０８を起動させる（ステップ３０５）。
【００８１】
次いで、中央処理装置２０１は、第一のカメラ１８及び第二のカメラ１９のどちらの画像データを有効とするかを決定する。
【００８２】
この場合は、第二のカメラ１９の使用が設定され、ｃａｍ＿ＰＳ２がオンになっているため、第二デジタル信号処理装置２０８から出力されるｃａｍ＿ｄａｔａ２を有効とする（ステップ４０３）。
【００８３】
次いで、中央処理装置２０１は、メモリ２０４から、第一のマイク１５の使用が設定されているか否かを読み出す（ステップ４０４）。
【００８４】
第一のマイク１５の使用が設定されている場合には（ステップ４０４のＹＥＳ）、中央処理装置２０１は、第一のマイク１５から入力される音声アナログ信号ＭＩＣｉｎ１を有効とする。
【００８５】
一方、第二のマイク２０の使用が設定されている場合には（ステップ４０４のＮＯ）、中央処理装置２０１は、第二のマイク２０から入力される音声アナログ信号ＭＩＣｉｎ２を有効とする。
【００８６】
次いで、中央処理装置２０１は、有効とした画像データｃａｍ＿ｄａｔａ１またはｃａｍ＿ｄａｔａ２を液晶表示ディスプレイ１６に表示させる（ステップ３０７）。
【００８７】
このとき、ユーザーは、第一のカメラ１８または第二のカメラ１９の撮影状況を液晶表示ディスプレイ１６で確認しながら、画像を撮影することができる。
【００８８】
次いで、中央処理装置２０１は、携帯電話装置１０が現在通話中であるか否かを判定する（ステップ３０８）。
【００８９】
通話中である場合には（ステップ３０８のＹＥＳ）、画像データｃａｍ＿ｄａｔａ１及び音声アナログ信号ＭＩＣｉｎ１または画像データｃａｍ＿ｄａｔａ２及び音声アナログ信号ＭＩＣｉｎ２をＩ／Ｑ信号に変換し（直交変調方式の場合）、このＩ／Ｑ信号を無線部２０５に出力する（ステップ３０９）。
【００９０】
Ｉ／Ｑ信号は、無線部２０５において変調され、送信波となり、アンテナ２０６からエアーへ送信される。
【００９１】
このように、ユーザーは、使用するカメラ及びマイクを第一のカメラ１８及び第一のマイク１５の組と第二のカメラ１９及び第二のマイク２０の組とから選択することができる。このため、例えば、第二のカメラ１９（背面側のカメラ）で携帯電話装置１０の周囲を撮影すると同時に、第一のマイク１５（正面側のマイク）を介して、ユーザーの音声を集音し、携帯電話装置１０の周囲の画像とユーザーの音声とをともに送出することができるようになる。
【００９２】
通話中ではない場合には（ステップ３０８のＮＯ）、画像データｃａｍ＿ｄａｔａ１及び音声アナログ信号ＭＩＣｉｎ１または画像データｃａｍ＿ｄａｔａ２及び音声アナログ信号ＭＩＣｉｎ２は、中央処理装置２０１において、保存用のデータフォーマットに変換された後、メモリ２０４に保存される（ステップ３１０）。
【００９３】
これにより、ユーザーが撮影した動画や静止画を後から見ることができる。
【００９４】
また、ユーザーは、使用するカメラ及びマイクを第一のカメラ１８及び第一のマイク１５の組と第二のカメラ１９及び第二のマイク２０の組とから選択することができるため、例えば、第二のカメラ１９（背面側のカメラ）で携帯電話装置１０の周囲を撮影すると同時に、第一のマイク１５（正面側のマイク）を介して、ユーザーの音声を集音し、携帯電話装置１０の周囲の画像とユーザーの音声とをともに動画として保存することができるようになる。
【００９５】
（第三の実施形態）
図５は、第三の実施形態に係る携帯電話装置３０の構造を示す機能ブロック図である。
【００９６】
本実施形態に係る携帯電話装置３０は、第一の実施形態に係る携帯電話装置１０と比較して、第一デジタル信号処理装置２０７及び第二デジタル信号処理装置２０８に代えて、単一のデジタル信号処理装置２０９を備えている。
【００９７】
デジタル信号処理装置２０９は、第一のカメラ１８が出力する画像データまたは第二のカメラ１９が出力する画像データの何れか一方を入力し、その画像データに画像処理を施し、画像データｃａｍ＿ｄａｔａとして、中央処理装置２０１に出力する。
【００９８】
図６は、本実施形態に係る携帯電話装置３０の動作を示すフローチャートである。以下、図６を参照して、本実施形態に係る携帯電話装置３０の動作を説明する。
【００９９】
ユーザーが、カメラ切り換え用キーを介して、第一のカメラ１８及び第二のカメラ１９の何れを使用するかを決定すると、その決定を示すデータはメモリ２０４に記憶される。
【０１００】
先ず、中央処理装置２０１は、メモリ２０４から、第一のカメラ１８の使用が設定されているか否かを読み出す（ステップ３０２）。
【０１０１】
第一のカメラ１８の使用が設定されている場合には（ステップ３０２のＹＥＳ）、中央処理装置２０１は、第一のカメラ１８及びデジタル信号処理装置２０９の双方に電源制御信号ｃａｍ＿ＰＳ１を送信し、第一のカメラ１８及びデジタル信号処理装置２０９を起動させる（ステップ３０３）。
【０１０２】
デジタル信号処理装置２０９は第一のカメラ１８から画像信号を受信し、その画像信号に画像処理を施す。画像処理を施した画像信号は画像データｃａｍ＿ｄａｔａとしてデジタル信号処理装置２０９から中央処理装置２０１に送信される（ステップ６０１）。
【０１０３】
さらに、中央処理装置２０１は、第一のカメラ１８の使用が設定され、ｃａｍ＿ＰＳ１がオンになっているため、第一のマイク１５から出力される音声アナログ信号ＭＩＣｉｎ１を有効とする。
【０１０４】
次いで、中央処理装置２０１は、有効とした画像データｃａｍ＿ｄａｔａ１を液晶表示ディスプレイ１６に表示させる（ステップ３０７）。
【０１０５】
このとき、ユーザーは、第一のカメラ１８の撮影状況を液晶表示ディスプレイ１６で確認しながら、画像を撮影することができる。
【０１０６】
次いで、中央処理装置２０１は、携帯電話装置１０が現在通話中であるか否かを判定する（ステップ３０８）。
【０１０７】
通話中である場合には（ステップ３０８のＹＥＳ）、画像データｃａｍ＿ｄａｔａ１及び音声アナログ信号ＭＩＣｉｎ１をＩ／Ｑ信号に変換し（直交変調方式の場合）、このＩ／Ｑ信号を無線部２０５に出力する（ステップ３０９）。
【０１０８】
Ｉ／Ｑ信号は、無線部２０５において変調され、送信波となり、アンテナ２０６からエアーへ送信される。
【０１０９】
これにより、通話中の相手方へ、ユーザーの写った画像と音声を送出することができる。
【０１１０】
通話中ではない場合には（ステップ３０８のＮＯ）、画像データｃａｍ＿ｄａｔａ１及び音声アナログ信号ＭＩＣｉｎ１は、中央処理装置２０１において保存用のデータフォーマットに変換された後、メモリ２０４に保存される（ステップ３１０）。
【０１１１】
これにより、ユーザーは、撮影した動画や静止画を後で所望の時に見ることができる。
【０１１２】
第二のカメラ１９の使用が設定されている場合には（ステップ３０２のＮＯ）、中央処理装置２０１は、第二のカメラ１９及びデジタル信号処理装置２０９の双方に電源制御信号ｃａｍ＿ＰＳ２を送信し、第二のカメラ１９及びデジタル信号処理装置２０９を起動させる（ステップ３０５）。
【０１１３】
デジタル信号処理装置２０９は第二のカメラ１９から画像信号を受信し、その画像信号に画像処理を施す。画像処理を施した画像信号は画像データｃａｍ＿ｄａｔａとしてデジタル信号処理装置２０９から中央処理装置２０１に送信される（ステップ６０２）。
【０１１４】
さらに、中央処理装置２０１は、第二のカメラ１９の使用が設定され、ｃａｍ＿ＰＳ２がオンになっているため、第二のマイク２０から出力される音声アナログ信号ＭＩＣｉｎ２を有効とする。
【０１１５】
以下、第一のカメラ１８の使用が設定されている場合と同様に、液晶表示ディスプレイ１６への画像データｃａｍ＿ｄａｔａ２の表示（ステップ３０７）、携帯電話装置１０が通話中か否かに応じて（ステップ３０８）、画像データｃａｍ＿ｄａｔａ２及び音声アナログ信号ＭＩＣｉｎ２の送信（ステップ３０９）またはメモリ２０４への保存（ステップ３１０）が行われる。
【０１１６】
以上のように、本実施形態に係る携帯電話装置３０によれば、第一の実施形態における第一及び第二デジタル信号処理装置２０７、２０８を共通化して、一つのデジタル信号処理装置２０９として実現することにより、部品コストの低減、実装面積の縮小化などの効果を得ることができる。
【０１１７】
（第四の実施形態）
第一の実施形態に係る携帯電話装置１０において、第一のカメラ１８が選択されている場合、ユーザーがユーザー自身を撮影していることになるため、液晶表示ディスプレイ１６にはユーザーがそのままの形で（すなわち、左右反転することなく）表示される。
【０１１８】
第四の実施形態に係る携帯電話装置においては、第一のカメラ１８が選択されている場合、第一デジタル信号処理装置２０７は、第一のカメラ１８が出力する画像信号に対して、画像処理の一環としてミラー処理を行い、画像を左右反転させる。液晶表示ディスプレイ１６には、画像が左右反転した形で表示される。
【０１１９】
このため、ユーザー自身の姿はユーザーが鏡を見ているように液晶表示ディスプレイ１６に表示されることになり、液晶表示ディスプレイ１６を鏡面として使用することも可能になる。
【０１２０】
（第五の実施形態）
図７（ａ）及び（ｂ）は、本発明の第五の実施形態に係る携帯電話装置４０の斜視図である。
【０１２１】
第一乃至第四の実施形態に係る携帯電話装置においては、第一のカメラ１８は第一の筐体１１に埋め込まれており、第一の筐体１１に固定された状態で配置されている。これに対して、本実施形態に係る携帯電話装置４０においては、第一のカメラ１８は第一の筐体１１に対して着脱自在であるように構成されている。
【０１２２】
図７（ａ）は、第一のカメラ１８を第一の筐体１１に取り付けた状態における携帯電話装置４０の斜視図であり、図７（ｂ）は、第一のカメラ１８を第一の筐体１１から取り外した状態における携帯電話装置４０の斜視図である。
【０１２３】
図７（ｂ）に示すように、本実施形態における第一のカメラ１８はブロック４１に内蔵された状態で取り付けられている。第一の筐体１１の頂面にはブロック４１と嵌合する形状の凹部４２が形成されており、ブロック４１を凹部４２に出し入れすることにより、第一のカメラ１８は第一の筐体１１ひいては携帯電話装置４０に対して着脱自在となっている。
【０１２４】
ブロック４１は適当な手段を介して凹部４２の内部に保持される。
【０１２５】
例えば、ブロック４１の側面に半円形の凸部を設け、凹部４２の内面には、その凸部に嵌合する形状の凹部を設け、ブロック４１を凹部４２に挿入したときに、その凸部が凹部に嵌合するようにする。これにより、ブロック４１が凹部４２から容易に抜け落ちることはなくなり、ブロック４１は凹部４２内に保持される。
【０１２６】
さらに、ブロック４１及び凹部４２の内面にはそれぞれ接触式のコネクタが設けられており、ブロック４１を凹部４２に挿入すると双方のコネクタが接触し、ブロック４１に内蔵されている第一のカメラ１８に電力が送電され、あるいは、中央処理装置２０１からの電源制御信号ｃａｍ＿ＰＳ１が送信されるようになっている。
【０１２７】
本実施形態に係る携帯電話装置４０によれば、第一の実施形態に係る携帯電話装置１０と同様の効果を得ることができるとともに、第一のカメラ１８を、例えば、倍率の異なるレンズを有するカメラ、ズーム機能を有するカメラ、着色フィルターを有するカメラなどの他のカメラに交換して取り付けることが可能になり、撮影条件を拡大することが可能である。
【０１２８】
本実施形態においては、第一のカメラ１８を着脱自在に構成したが、第二のカメラ１９を着脱自在に構成してもよく、あるは、第一のカメラ１８及び第二のカメラ１９の双方を着脱自在に構成してもよい。
【０１２９】
また、第一のカメラ１８と同様に、第一のマイク１５及び第二のマイク２０の一方または双方を着脱自在に構成することも可能である。
【０１３０】
以上の第一乃至第五の実施形態に係る各携帯電話装置は二組のカメラ及びマイクを有するものとして構成されているが、カメラ及びマイクの組数は二に限定されるものではない。本発明に係る携帯電話装置は三組またはそれ以上の組数のカメラ及びマイクを備えるものとして構成することが可能である。
【０１３１】
本発明に係る携帯電話装置が二組のカメラ及びマイクを備えるものとして構成されている場合には、上述の第一乃至第五の実施形態に係る各携帯電話装置のように、第一のカメラ及び第一のマイクは正面方向に向け、第二のカメラ及び第二のマイクは背面方向に向けるように配置することができるが、各カメラ及び各マイクを向ける方向は正面及び背面方向に限定されるものではなく、任意の方向に向けることが可能である。例えば、携帯電話装置の上方または下方に向けてカメラ及びマイクを配置してもよく、あるいは、携帯電話装置の左方向または右方向に向けてカメラ及びマイクを配置してもよい。
【０１３２】
また、第一乃至第五の実施形態に係る各携帯電話装置は何れも折り畳み式の携帯電話装置として構成されているが、非折り畳み式のバー型の携帯電話装置として構成することも可能である。
【０１３３】
【発明の効果】
以上のように、本発明に係る携帯電話装置は複数の組のカメラ及びマイクを備えるものとして構成されている。一つのカメラのみを備えた携帯電話装置によって、複数の方向の画像を撮影するためには、カメラを複数の方向に向けるための可動機構が必要となるが、本発明に係る携帯電話装置によれば、そのような可動機構を設けることなく、複数の方向における画像を撮影し、かつ、複数の方向における音声を集音することができる。
【図面の簡単な説明】
【図１】図１（ａ）は、本発明の第一の実施形態に係る携帯電話装置が開いた状態において、その携帯電話装置を正面から見たときの斜視図であり、図１（ｂ）は、開いた状態における携帯電話装置を背面から見たときの斜視図である。
【図２】本発明の第一の実施形態に係る携帯電話装置の構造を示す機能ブロック図である。
【図３】本発明の第一の実施形態に係る携帯電話装置の動作を示すフローチャートである。
【図４】本発明の第二の実施形態に係る携帯電話装置の動作を示すフローチャートである。
【図５】本発明の第三の実施形態に係る携帯電話装置の構造を示す機能ブロック図である。
【図６】本発明の第三の実施形態に係る携帯電話装置の動作を示すフローチャートである。
【図７】本発明の第五の実施形態に係る携帯電話装置の斜視図である。
【符号の説明】
１０  第一の実施形態に係る携帯電話装置
１１  第一の筐体
１２  第二の筐体
１３  ヒンジ機構
１４  キー
１５  第一のマイク
１６  液晶表示ディスプレイ
１７  レシーバ
１８  第一のカメラ
１９  第二のカメラ
２０  第二のマイク
３０  第三の実施形態に係る携帯電話装置
４０  第五の実施形態に係る携帯電話装置
４１  ブロック
４２  凹部
２０１  中央処理装置
２０２  カメラ用電源
２０４  メモリ
２０５  無線部
２０６  アンテナ
２０７  第一デジタル信号処理装置
２０８  第二デジタル信号処理装置
２０９  デジタル信号処理装置
【図１】
2004166159.tif 000003
【図２】
2004166159.tif 000004
【図３】
2004166159.tif 000005
【図４】
2004166159.tif 000006
【図５】
2004166159.tif 000007
【図６】
2004166159.tif 000008
【図７】
2004166159.tif 000009